(57)【要約】【解決手段】開示される質量分析の方法は、イオン検出器から出力される信号は、アナログ−デジタル変換器によりデジタル化した後、デコンボリューションを行ない、１つ以上のイオン到達時間と１つ以上のイオン到達強度とを求める。イオン信号をデコンボリューションする処理は、イオン検出器に到達して、イオン検出器により検出されるイオンの特徴を示す点広がり関数を求める工程を備える。次に、各イオン到達が点広がり関数により与えられる応答を生じると仮定した場合にデジタル化信号と最も良く適合するイオン到達時間の分布を求める。複数のイオン到達時間を組み合わせて、複合イオン到達時間−強度スペクトルを生成する。【選択図】図４Ａ
2013519873.tif 000002
【特許請求の範囲】
【請求項１】
質量分析の方法であって、
飛行時間領域内に入るようにイオンを加速する電極と、前記飛行時間領域を前記イオンが通過した後にイオンを検出するように構成されるイオン検出器と、を備える飛行時間型質量分析器と準備する工程と、
前記イオン検出器から出力される第１の信号をデジタル化して、第１のデジタル化信号を生成する工程と、
前記第１のデジタル化信号のデコンボリューションを行なって、前記第１のデジタル化信号に関して１つ以上の第１のイオン到達時間と１つ以上の第１のイオン到達強度とを求める工程と、
前記イオン検出器から出力される第２の信号をデジタル化して、第２のデジタル化信号を生成する工程と、
前記第２のデジタル化信号のデコンボリューションを行なって、前記第２のデジタル化信号に関して１つ以上の第２のイオン到達時間と１つ以上の第２のイオン到達強度とを求める工程と、
前記イオン検出器から出力される第３及びさらなる信号をデジタル化して、第３及びさらなるデジタル化信号を生成する工程と、
前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求める工程と、
前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する工程と、を備える質量分析の方法。
【請求項２】
請求項１に記載の質量分析の方法であって、
前記イオン検出器から出力される前記第１の信号をデジタル化する工程と、前記イオン検出器から出力される前記第２の信号をデジタル化する工程と、前記イオン検出器から出力される前記第３及びさらなる信号をデジタル化する工程とが、アナログ−デジタル変換器を用いて、前記第１の信号と、前記第２の信号と、前記第３及びさらなる信号とをデジタル化する工程を備える、質量分析の方法。
【請求項３】
請求項１又は２のいずれか一項に記載の質量分析の方法であって、
前記第１のデジタル化信号のデコンボリューションを行なう工程と、前記第２のデジタル化信号のデコンボリューションを行なう工程と、前記第３及びさらなるデジタル化信号のデコンボリューションを行なう工程とが、（ｉ）前記イオン検出器に到達して前記イオン検出器により検出されるイオンの特徴を示す点広がり関数を求める工程、又は、（ｉｉ）前記イオン検出器に到達して前記イオン検出器により検出されるイオンの特徴を示す所定の点広がり関数を用いる工程、のいずれかの工程を備える、質量分析の方法。
【請求項４】
請求項１から３までのいずれか一項に記載の質量分析の方法であって、
（ｉ）前記第１のデジタル化信号のデコンボリューションを行なう工程が、前記イオン検出器に到達して前記イオン検出器により検出されるイオンの特徴を示す点広がり関数の逆数を用いて、前記第１のデジタル化信号のコンボリューションを行なう工程を備える、及び、
（ｉｉ）前記第２のデジタル化信号のデコンボリューションを行なう工程が、前記イオン検出器に到達して前記イオン検出器により検出されるイオンの特徴を示す点広がり関数の逆数を用いて、前記第２のデジタル化信号のコンボリューションを行なう工程を備える、及び、
（ｉｉｉ）前記第３及びさらなるデジタル化信号のデコンボリューションを行なう工程が、前記イオン検出器に到達して前記イオン検出器により検出されるイオンの特徴を示す点広がり関数の逆数を用いて、前記第３及びさらなるデジタル化信号のコンボリューションを行なう工程を備える、質量分析の方法。
【請求項５】
請求項１から４までのいずれか一項に記載の質量分析の方法であって、
（ｉ）前記第１のデジタル化信号のデコンボリューションを行なう工程が、各イオン到達が既知の点広がり関数によって表わされる応答を生じる場合に前記第１のデジタル化信号に最も良く適合するイオン到達時間の分布を求める工程を備える、及び、
（ｉｉ）前記第２のデジタル化信号のデコンボリューションを行なう工程が、各イオン到達が既知の点広がり関数によって表わされる応答を生じる場合に前記第２のデジタル化信号に最も良く適合するイオン到達時間の分布を求める工程を備える、及び、
（ｉｉｉ）前記第３及びさらなるデジタル化信号のデコンボリューションを行なう工程が、各イオン到達が既知の点広がり関数によって表わされる応答を生じる場合に前記第３及びさらなるデジタル化信号に最も良く適合するイオン到達時間の分布を求める工程を備える、質量分析の方法。
【請求項６】
請求項１から５までのいずれか一項に記載の質量分析の方法であって、
前記第１のデジタル化信号と、前記第２のデジタル化信号と、前記第３及びさらなるデジタル化信号とに関して前記イオン到達時間と前記イオン到達強度とを求める工程が、高速デコンボリューション・アルゴリズムを用いる工程を備える、質量分析の方法。
【請求項７】
請求項６に記載の質量分析の方法であって、
前記高速デコンボリューション・アルゴリズムが、（ｉ）修正CLEANアルゴリズムと（ｉｉ）最大エントロピー法と（ｉｉｉ）高速フーリエ変換と（ｉｖ）非負の最小二乗法とからなる群から選択される、質量分析の方法。
【請求項８】
請求項６又は７のいずれか一項に記載の質量分析の方法であって、
前記高速デコンボリューション・アルゴリズムが、既知の線幅と、前記イオン検出器により生成された後に個々のイオン到達に応じてデジタル化される信号の特徴を示す形状とを用いる、質量分析の方法。
【請求項９】
請求項１から８までのいずれか一項に記載の質量分析の方法であって、
さらに、得られたイオンの到達時間Ｔ0を第１の到達時間Ｔnと第２の到達時間Ｔn+1とに変換する工程であって、ｎがＴ0に最も近いデジタル化時間ビンを表わす工程と、
得られたイオンの強度Ｓ0を第１の強度Ｓnと第２の強度Ｓn+1とで表わす工程と、
を備え、
【数２６】
2013519873.tif 000028
である、質量分析の方法。
【請求項１０】
請求項１から９までのいずれか一項に記載の質量分析の方法であって、
前記第１のデジタル化信号と前記第２のデジタル化信号と前記第３及びさらなるデジタル化信号とのデコンボリューションを行なう工程が、前記第１のデジタル化信号と前記第２のデジタル化信号と前記第３及びさらなるデジタル化信号との後処理により行なわれる、質量分析の方法。
【請求項１１】
請求項１から９までのいずれかに記載の質量分析の方法であって、
前記第１のデジタル化信号と前記第２のデジタル化信号と前記第３及びさらなるデジタル化信号とのデコンボリューションを行なう工程が、フィールド・プログラマブル・ゲート・アレイ（ＦＰＧＡ：Field Programmable Gate Array）又はグラフィカル・プロセッサ・ユニット（ＧＰＡ：Graphical Processor Unit）を用いてリアルタイムで行なわれる、質量分析の方法。
【請求項１２】
請求項１から１１までのいずれか一項に記載の質量分析の方法であって、
さらに、（ｉ）前記第１の信号をデジタル化する工程及び／又は前記第１のデジタル化信号のデコンボリューションを行なう工程の前に、前記飛行時間領域内に入るように第１のイオン群を加速する工程、及び／又は、
（ｉｉ）前記第２の信号をデジタル化する工程及び／又は前記第２のデジタル化信号のデコンボリューションを行なう工程の前に、前記飛行時間領域内に入るように第２のイオン群を加速する工程、及び／又は、
（ｉｉｉ）前記第３の信号をデジタル化する工程及び／又は前記第３のデジタル化信号のデコンボリューションを行なう工程の前に、前記飛行時間領域内に入るように第３のイオン群を加速する工程、を備える質量分析の方法。
【請求項１３】
質量分析計であって、
飛行時間領域内に入るようにイオンを加速する電極と、前記飛行時間領域を前記イオンが通過した後にイオンを検出するように構成されるイオン検出器と、を備える飛行時間型質量分析器と、
制御システムであって、
（ｉ）前記イオン検出器から出力される第１の信号をデジタル化して、第１のデジタル化信号を生成し、
（ｉｉ）前記第１のデジタル化信号のデコンボリューションを行なって、前記第１のデジタル化信号に関して１つ以上の第１のイオン到達時間と１つ以上の第１のイオン到達強度とを求め、
（ｉｉｉ）前記イオン検出器から出力される第２の信号をデジタル化して、第２のデジタル化信号を生成し、
（ｉｖ）前記第２のデジタル化信号のデコンボリューションを行なって、前記第２のデジタル化信号に関して１つ以上の第２のイオン到達時間と１つ以上の第２のイオン到達強度とを求め、
（ｖ）前記イオン検出器から出力される第３及びさらなる信号をデジタル化して、第３及びさらなるデジタル化信号を生成し、
（ｖｉ）前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求め、
（ｖｉｉ）前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する、ように配置及び構成される制御システムと、を備える質量分析計。
【請求項１４】
請求項１３に記載の質量分析計であって、
前記制御システムが、
（ｉ）前記第１の信号をデジタル化する前及び／又は前記第１のデジタル化信号のデコンボリューションを行なう前に、前記飛行時間領域内に入るように第１のイオン群を加速する、及び／又は、
（ｉｉ）前記第２の信号をデジタル化する前及び／又は前記第２のデジタル化信号のデコンボリューションを行なう前に、前記飛行時間領域内に入るように第２のイオン群を加速する、及び／又は、
（ｉｉｉ）前記第３の信号をデジタル化する前及び／又は前記第３のデジタル化信号のデコンボリューションを行なう前に、前記飛行時間領域内に入るように第３のイオン群を加速する、ように配置及び構成される、質量分析計。
【請求項１５】
質量分析の方法であって、
飛行時間領域内に入るようにイオンを加速する電極と、前記飛行時間領域を前記イオンが通過した後にイオンを検出するように構成されるイオン検出器と、を備える飛行時間型質量分析器と準備する工程と、
アナログ−デジタル変換器を用いて前記イオン検出器から出力される第１の信号をデジタル化して、第１のデジタル化信号を生成する工程と、
前記第１のデジタル化信号のデコンボリューションを行なって、前記第１のデジタル化信号に関して１つ以上の第１のイオン到達時間と１つ以上の第１のイオン到達強度とを求める工程であって、前記第１のデジタル化信号のデコンボリューションを行なう工程が、各イオン到達が既知の点広がり関数により表わされる応答を生じる場合に前記第１のデジタル化信号に最も良く適合するイオン到達時間の分布を求める工程を備える、工程と、
アナログ−デジタル変換器を用いて前記イオン検出器から出力される第２の信号をデジタル化して、第２のデジタル化信号を生成する工程と、
前記第２のデジタル化信号のデコンボリューションを行なって、前記第２のデジタル化信号に関して１つ以上の第２のイオン到達時間と１つ以上の第２のイオン到達強度とを求める工程であって、前記第２のデジタル化信号のデコンボリューションを行なう工程が、各イオン到達が既知の点広がり関数により表わされる応答を生じる場合に前記第２のデジタル化信号に最も良く適合するイオン到達時間の分布を求める工程を備える、工程と、
アナログ−デジタル変換器を用いて前記イオン検出器から出力される第３及びさらなる信号をデジタル化して、第３及びさらなるデジタル化信号を生成する工程と、
前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求める工程であって、前記第３及びさらなるデジタル化信号のデコンボリューションを行なう工程が、各イオン到達が既知の点広がり関数により表わされる応答を生じる場合に前記第３及びさらなるデジタル化信号に最も良く適合するイオン到達時間の分布を求める工程を備える、工程と、
前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する工程と、を備える質量分析の方法。
【請求項１６】
請求項１５に記載の質量分析の方法であって、
さらに、（ｉ）前記第１の信号をデジタル化する工程及び／又は前記第１のデジタル化信号のデコンボリューションを行なう工程の前に、前記飛行時間領域内に入るように第１のイオン群を加速する工程、及び／又は、
（ｉｉ）前記第２の信号をデジタル化する工程及び／又は前記第２のデジタル化信号のデコンボリューションを行なう工程の前に、前記飛行時間領域内に入るように第２のイオン群を加速する工程、及び／又は、
（ｉｉｉ）前記第３の信号をデジタル化する工程及び／又は前記第３のデジタル化信号のデコンボリューションを行なう工程の前に、前記飛行時間領域内に入るように第３のイオン群を加速する工程、を備える質量分析の方法。
【請求項１７】
質量分析計であって、
飛行時間領域内に入るようにイオンを加速する電極と、前記飛行時間領域を前記イオンが通過した後にイオンを検出するように構成されるイオン検出器と、を備える飛行時間型質量分析器と、
制御システムであって、
（ｉ）アナログ−デジタル変換器を用いて前記イオン検出器から出力される第１の信号をデジタル化して、第１のデジタル化信号を生成し、
（ｉｉ）前記第１のデジタル化信号のデコンボリューションを行なって、前記第１のデジタル化信号に関して１つ以上の第１のイオン到達時間と１つ以上の第１のイオン到達強度とを求め、ここで、前記制御システムが、各イオン到達が既知の点広がり関数により表わされる応答を生じる場合に前記第１のデジタル化信号に最も良く適合するイオン到達時間の分布を求めるように配置及び構成され、
（ｉｉｉ）アナログ−デジタル変換器を用いて前記イオン検出器から出力される第２の信号をデジタル化して、第２のデジタル化信号を生成し、
（ｉｖ）前記第２のデジタル化信号のデコンボリューションを行なって、前記第２のデジタル化信号に関して１つ以上の第２のイオン到達時間と１つ以上の第２のイオン到達強度とを求め、ここで、前記制御システムが、各イオン到達が既知の点広がり関数により表わされる応答を生じる場合に前記第２のデジタル化信号に最も良く適合するイオン到達時間の分布を求めるように配置及び構成され、
（ｖ）アナログ−デジタル変換器を用いて前記イオン検出器から出力される第３及びさらなる信号をデジタル化して、第３及びさらなるデジタル化信号を生成し、
（ｖｉ）前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求め、ここで、前記制御システムが、各イオン到達が既知の点広がり関数により表わされる応答を生じる場合に前記第３及びさらなるデジタル化信号に最も良く適合するイオン到達時間の分布を求めるように配置及び構成され、
（ｖｉｉ）前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する、ように配置及び構成される制御システムと、を備える質量分析計。
【請求項１８】
請求項１７に記載の質量分析計であって、
前記制御システムが、さらに、
（ｉ）前記第１の信号をデジタル化する前及び／又は前記第１のデジタル化信号のデコンボリューションを行なう前に、前記飛行時間領域内に入るように第１のイオン群を加速する、及び／又は、
（ｉｉ）前記第２の信号をデジタル化する前及び／又は前記第２のデジタル化信号のデコンボリューションを行なう前に、前記飛行時間領域内に入るように第２のイオン群を加速する、及び／又は、
（ｉｉｉ）前記第３の信号をデジタル化する前及び／又は前記第３のデジタル化信号のデコンボリューションを行なう前に、前記飛行時間領域内に入るように第３のイオン群を加速する、ように配置及び構成される、質量分析計。
【請求項１９】
質量分析の方法であって、
飛行時間領域内に入るようにイオンを加速する電極と、前記飛行時間領域を前記イオンが通過した後にイオンを検出するように構成されるイオン検出器と、を備える飛行時間型質量分析器と準備する工程と、
（ｉ）前記飛行時間領域内に入るようにイオン群を加速する工程と、（ｉｉ）前記イオン検出器から出力される信号をデジタル化して、デジタル化信号を生成する工程と、を１回以上繰り返す工程と、
前記デジタル化信号を組み合わせて、第１の複合デジタル化信号を形成する工程と、
前記第１の複合デジタル化信号のデコンボリューションを行なって、前記第１の複合デジタル化信号に関して１つ以上の第１のイオン到達時間と１つ以上の第１のイオン到達強度とを求める工程と、
（ｉｉｉ）前記飛行時間領域内に入るようにイオン群を加速する工程と、（ｉｖ）前記イオン検出器から出力される信号をデジタル化して、デジタル化信号を生成する工程と、を１回以上繰り返す工程と、
前記デジタル化信号を組み合わせて、第２の複合デジタル化信号を形成する工程と、
前記第２の複合デジタル化信号のデコンボリューションを行なって、前記第２の複合デジタル化信号に関して１つ以上の第２のイオン到達時間と１つ以上の第２のイオン到達強度とを求める工程と、
前記１つ以上の第１のイオン到達時間と前記１つ以上の第２のイオン到達時間とを組み合わせると共に、前記１つ以上の第１のイオン到達強度と前記１つ以上の第２のイオン到達強度とを組み合わせて、複合イオン到達時間−強度スペクトルを生成する工程と、を備える質量分析の方法。
【請求項２０】
質量分析計であって、
飛行時間領域内に入るようにイオンを加速する電極と、前記飛行時間領域を前記イオンが通過した後にイオンを検出するように構成されるイオン検出器と、を備える飛行時間型質量分析器と、
制御システムであって、
（ｉ）前記飛行時間領域内に入るようにイオン群を加速する工程と、（ｉｉ）前記イオン検出器から出力される信号をデジタル化して、デジタル化信号を生成する工程と、を１回以上繰り返し、
前記デジタル化信号を組み合わせて、第１の複合デジタル化信号を形成し、
前記第１の複合デジタル化信号のデコンボリューションを行なって、前記第１の複合デジタル化信号に関して１つ以上の第１のイオン到達時間と１つ以上の第１のイオン到達強度とを求め、
（ｉｉｉ）前記飛行時間領域内に入るようにイオン群を加速する工程と、（ｉｖ）前記イオン検出器から出力される信号をデジタル化して、デジタル化信号を生成する工程と、を１回以上繰り返し、
前記デジタル化信号を組み合わせて、第２の複合デジタル化信号を形成し、
前記第２の複合デジタル化信号のデコンボリューションを行なって、前記第２の複合デジタル化信号に関して１つ以上の第２のイオン到達時間と１つ以上の第２のイオン到達強度とを求め、
前記１つ以上の第１のイオン到達時間と前記１つ以上の第２のイオン到達時間とを組み合わせると共に、前記１つ以上の第１のイオン到達強度と前記１つ以上の第２のイオン到達強度とを組み合わせて、複合イオン到達時間−強度スペクトルを生成する、ように構成及び配置される制御システムと、を備える質量分析計。
【発明の詳細な説明】
【技術分野】
【０００１】
［関連出願］
本出願は、２０１０年２月２５日に出願された米国仮特許出願No.61/307,880及び２０１０年２月１２日に出願された英国特許出願No.1002447.9に基づく優先権を主張するものであり、前記出願の内容は、参照することにより、その全体が本明細書に組み込まれる。
【０００２】
本発明は、質量分析の方法と質量分析計とに関する。好適な実施形態は、アナログ−デジタル変換器から出力される信号をデジタル化して、イオン検出器に到達するイオンの到達時間と強度とを求める方法に関する。
【背景技術】
【０００３】
周知のように、飛行時間型質量分析計等多くの分析機器において、時間デジタル変換器（ＴＤＣ：Time to Digital Converter）とアナログ−デジタル変換器（ＡＤＣ：Analog to Digital Converter）とが、データ記録用エレクトロニクスの一部として用いられている。
【０００４】
時間デジタル変換器が組み込まれた飛行時間型機器が知られており、イオン検出器へのイオンの到達により得られる信号が記録される。所定の検出基準を満たす信号が１つの２進値として記録され、トリガーとなるイベントに対する特定の到達時間と関連付けられる。固定振幅閾値を用いて、イオン到達イベントを記録させるようにしてもよい。後続のトリガーとなるイベントにより続けて記録されるイオン到達イベントを組み合わせて、イオン到達イベントのヒストグラムを形成する。イオン到達イベントのヒストグラムを、以降の処理のためにスペクトルとして提供する。時間デジタル変換器には、複数のイオンが時間的に近接してイオン検出器に到達する可能性が比較的低く保持されている限り、比較的弱い信号でも検出可能であるという利点がある。一方で、時間デジタル変換器には、イオン到達イベントを１つ記録すると、そのイオン到達イベントに続くかなりの期間又はデッドタイム（不動作時間）の間、別のイオン到達イベントを記録できないという欠点がある。
【０００５】
時間デジタル変換器には、さらに、イオン検出器に単一イオンが到達して得られた信号とイオン検出器に複数のイオンが同時に到達して得られた信号の間の識別ができないという大きな欠点もある。これは、イオン検出器に単一イオンが到達したか、又は、イオン検出器に同時に複数のイオンが到達したかに関わらず、信号が閾値と一度しか交差しないという事実によるものである。このため、いずれの状況でも、単一のイオン到達イベントのみが記録される結果となる。
【０００６】
比較的高い信号強度において、デッドタイム（不動作時間）の問題と上述した欠点とが相まって、かなりの数のイオン到達イベントが記録されない、及び／又は、間違った数のイオンが記録されるという結果になる。このため、信号強度の表示が不正確になり、また、イオン到達時間の測定も不正確になる。
【０００７】
これらの影響により、イオン検出器システムのダイナミックレンジが限られたものになってしまう。
【０００８】
アナログ−デジタル変換器が組み込まれた飛行時間型機器が知られている。アナログ−デジタル変換器は、トリガーとなるイベントに対してイオン検出器にイオンが到達することにより得られる信号をデジタル化するように構成される。後続のトリガーとなるイベントにより得られるデジタル化信号をまとめて、又は、平均して、以降の処理に用いるスペクトルを生成する。周知の信号アベレージャは、イオン検出器エレクトロニクスからの出力を、３〜６ＧＨｚの周波数で８ビット又は１０ビットの強度分解能でデジタル化することができる。
【０００９】
アナログ−デジタル変換器をイオン検出システムの一部として用いる場合には、イオン検出器が歪んだり飽和したりすることなく、比較的高い信号強度でほぼ同時にイオン検出器に到達する複数のイオンを記録可能であるという利点がある。一方、デジタイザー・エレクトロニクス、イオン検出器及び増幅器システムからの電子ノイズにより低強度の信号の検出には限界がある。この電子ノイズの問題により、イオン検出器システムのダイナミックレンジが限られたものとなってしまう。
【００１０】
アナログ−デジタル変換器をイオン検出システムの一部として用いる場合には（時間デジタル変換器をイオン検出器システムの一部として用いる場合とは逆に）、イオン検出器に到達するイオンにより生成される信号のアナログ幅が、最終的な飛行時間スペクトルにおける所定の質量対電荷比に関するイオン到達エンベロープの幅に加算される。時間デジタル変換器ＴＤＣの場合には、イオン到達時間のみが記録されるため、最終的なスペクトルのピークの幅は、飛行時間型分析装置の空間的及びエネルギー的な焦点調節特性によって、また、ＴＤＣのトリガー信号及び信号弁別器特性に関係するタイミング・ジッター（変動）によってのみ、決まる。最新式の飛行時間型検出器では、単一イオンにより生成される信号のアナログ幅は、０．４〜３ｎｓの半値全幅（ＦＷＨＭ）の範囲内である。
【００１１】
デジタル処理装置の最近の速度向上により、時間デジタル変換器システムとアナログ−デジタル変換器システムの両方の利点を併せ持つようなイオン検出システムの製造が可能となった。デジタル化された過渡信号を到達時間−強度対に変換する。スキャン時間にわたって各過渡信号から得られた到達時間−強度対を組み合わせて、質量スペクトルを得る。このようなシステムの例がWO2007/138338、WO2008/142418及びWO2008/139193に開示されている。各質量スペクトルが何万もの過渡信号から構成されるものでもよい。結果として得られるスペクトルは、時間デジタル変換器システムの分解能の面で利点がある（すなわち、イオン到達のアナログピーク幅は、スペクトルの最終的なピーク幅に有意の影響を与えない）。また、システムは、アナログ−デジタル変換器に同時に複数のイオンが到達するイベントの結果得られる信号強度を記録することができる。さらに、個々の時間又は質量−強度対を検出する際に電子ノイズとの識別が可能であるため、平均データに存在し得る電子ノイズを取り除くことができ、その結果ダイナミックレンジを拡張することができる。
【００１２】
周知の方法において、デジタル化された過渡信号をイオン到達時間−強度対に変換する工程には、ベースラインの除算、データの閾値化、及び／又は、デジタル化信号のすべてまたは一部に対する有限インパルス応答（ＦＩＲ：Finite Impulse Response）フィルタの適用が含まれるものでもよい。これらの処理は、電子ノイズを除去し、イオン到達応答に対応するデータ内の位置を決め、各イオン到達応答に関するイオン到達時間と強度とを求めることを目的とする。
【００１３】
上述したように、各イオン到達は、関連アナログピーク幅を有する。２つ以上のイオンが同時に到達した場合には、これらのアナログピーク幅が部分的に重なる可能性があり、単純な有限インパルス応答フィルタやピーク極大値又は関連ピーク検出方法では、個々のイオンの到達時間や強度を単離することが不可能になる。このような場合、２つの個々のイオン到達時間及び強度ではなく、平均イオン到達時間及び合計面積が応答として記録される可能性がある。１つの過渡信号内における２つ以上のイオン到達が一つの時間−強度対に合体することにより、最終的な合計データにアーチファクト（不自然な結果）が生じる結果となり得る。さらに、異なる質量対電荷比種のイオンからのアナログピーク幅が単一の過渡信号内で有意に重なる可能性もある。これは、各質量対電荷比種に対する信号強度の表示が不正確になり、また、イオン到達時間の測定が不正確になる結果につながる。
【００１４】
したがって、検出器システム及びイオンを検出する方法の向上が望まれている。
【発明の概要】
【００１５】
本発明の一つの態様は、質量分析の方法であって、
飛行時間領域内に入るようにイオンを加速する電極と、前記飛行時間領域を前記イオンが通過した後にイオンを検出するように構成されるイオン検出器と、を備える飛行時間型質量分析器と準備する工程と、
前記イオン検出器から出力される第１の信号をデジタル化して、第１のデジタル化信号を生成する工程と、
前記第１のデジタル化信号のデコンボリューションを行なって、前記第１のデジタル化信号に関して１つ以上の第１のイオン到達時間と１つ以上の第１のイオン到達強度とを求める工程と、
前記イオン検出器から出力される第２の信号をデジタル化して、第２のデジタル化信号を生成する工程と、
前記第２のデジタル化信号のデコンボリューションを行なって、前記第２のデジタル化信号に関して１つ以上の第２のイオン到達時間と１つ以上の第２のイオン到達強度とを求める工程と、
前記イオン検出器から出力される第３及びさらなる信号をデジタル化して、第３及びさらなるデジタル化信号を生成する工程と、
前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求める工程と、
前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する工程と、を備える。
【００１６】
好適な実施形態において、飛行時間型質量分析器によりイオンの質量分析が行なわれる。飛行時間型質量分析器に用いられるイオン検出器から信号が出力され、出力された信号はアナログ−デジタル変換器によりデジタル化される。次に、デジタル化信号のデコンボリューションが行なわれる。デジタル化信号のデコンボリューションを行なう工程は、従来のピーク検出の方法と解釈してはならず、従来のピーク検出の方法とは異なるものである。そうではなく、好適な実施形態において、デジタル化信号のデコンボリューションを行なう工程は、イオン検出器への各イオン到達が既知の点広がり関数又は所定の点広がり関数により特徴付けられる応答を生じると仮定した場合にデジタル化信号に最も良く適合するイオン到達時間の分布を求める工程を備える。プッシュ・バイ・プッシュ（push-by-push）方式でイオン信号のデジタル化及びデコンボリューションを行なうことが望ましい。さらなるイオン信号も同様の方法で取得し、デジタル化及びデコンボリューションを行なう。個々のイオン到達時間分布を組み合わせて、複合イオン到達時間−強度スペクトルを生成する。好適な実施形態において生成される飛行時間スペクトルは、谷部の分離がより明白な、より対称性の高いピーク形状を示す。さらに、質量分解能も増大する。したがって、このような好適な実施形態は、特に効果が高い。
【００１７】
前記イオン検出器から出力される前記第１の信号をデジタル化する工程と、前記イオン検出器から出力される前記第２の信号をデジタル化する工程と、前記イオン検出器から出力される前記第３及びさらなる信号をデジタル化する工程とが、アナログ−デジタル変換器を用いて、前記第１の信号と、前記第２の信号と、前記第３及びさらなる信号とをデジタル化する工程を備えることが望ましい。
【００１８】
前記第１のデジタル化信号のデコンボリューションを行なう工程と、前記第２のデジタル化信号のデコンボリューションを行なう工程と、前記第３及びさらなるデジタル化信号のデコンボリューションを行なう工程とが、（ｉ）前記イオン検出器に到達して前記イオン検出器により検出されるイオンの特徴を示す点広がり関数を求める工程、又は、（ｉｉ）前記イオン検出器に到達して前記イオン検出器により検出されるイオンの特徴を示す所定の点広がり関数を用いる工程、のいずれかの工程を備えることが望ましい。
【００１９】
一つの実施形態において、
（ｉ）前記第１のデジタル化信号のデコンボリューションを行なう工程が、前記イオン検出器に到達して前記イオン検出器により検出されるイオンの特徴を示す点広がり関数の逆数を用いて、前記第１のデジタル化信号のコンボリューション（畳み込み）を行なう工程を備える、及び、
（ｉｉ）前記第２のデジタル化信号のデコンボリューションを行なう工程が、前記イオン検出器に到達して前記イオン検出器により検出されるイオンの特徴を示す点広がり関数の逆数を用いて、前記第２のデジタル化信号のコンボリューションを行なう工程を備える、及び、
（ｉｉｉ）前記第３及びさらなるデジタル化信号のデコンボリューションを行なう工程が、前記イオン検出器に到達して前記イオン検出器により検出されるイオンの特徴を示す点広がり関数の逆数を用いて、前記第３及びさらなるデジタル化信号のコンボリューションを行なう工程を備える。
【００２０】
一つの実施形態において、
（ｉ）前記第１のデジタル化信号のデコンボリューションを行なう工程が、各イオン到達が既知の点広がり関数によって表わされる応答を生じる場合に前記第１のデジタル化信号に最も良く適合するイオン到達時間の分布を求める工程を備える、及び、
（ｉｉ）前記第２のデジタル化信号のデコンボリューションを行なう工程が、各イオン到達が既知の点広がり関数によって表わされる応答を生じる場合に前記第２のデジタル化信号に最も良く適合するイオン到達時間の分布を求める工程を備える、及び、
（ｉｉｉ）前記第３及びさらなるデジタル化信号のデコンボリューションを行なう工程が、各イオン到達が既知の点広がり関数によって表わされる応答を生じる場合に前記第３及びさらなるデジタル化信号に最も良く適合するイオン到達時間の分布を求める工程を備える。
【００２１】
前記第１のデジタル化信号と、前記第２のデジタル化信号と、前記第３及びさらなるデジタル化信号とに関して前記イオン到達時間と前記イオン到達強度とを求める工程が、高速デコンボリューション・アルゴリズムを用いる工程を備えることが望ましい。
【００２２】
前記高速デコンボリューション・アルゴリズムが、（ｉ）修正CLEANアルゴリズムと（ｉｉ）最大エントロピー法と（ｉｉｉ）高速フーリエ変換と（ｉｖ）非負の最小二乗法とからなる群から選択されることが望ましい。
【００２３】
一つの実施形態において、前記高速デコンボリューション・アルゴリズムが、既知の線幅と、前記イオン検出器により生成された後に個々のイオン到達に応じてデジタル化される信号の特徴を示す形状とを用いる。
【００２４】
上述の質量分析の方法が、さらに、得られたイオンの到達時間Ｔ0を第１の到達時間Ｔnと第２の到達時間Ｔn+1とに変換する工程であって、ｎがＴ0に最も近いデジタル化時間ビンを表わす工程と、
得られたイオンの強度Ｓ0を第１の強度Ｓnと第２の強度Ｓn+1とで表わす工程と、
を備え、
【数１】
2013519873.tif 000003
である。
【００２５】
前記第１のデジタル化信号と前記第２のデジタル化信号と前記第３及びさらなるデジタル化信号とのデコンボリューションを行なう工程が、前記第１のデジタル化信号と前記第２のデジタル化信号と前記第３及びさらなるデジタル化信号との後処理により行なわれるものでもよい。
【００２６】
あるいは、前記第１のデジタル化信号と前記第２のデジタル化信号と前記第３及びさらなるデジタル化信号とのデコンボリューションを行なう工程が、フィールド・プログラマブル・ゲート・アレイ（ＦＰＧＡ：Field Programmable Gate Array）又はグラフィカル・プロセッサ・ユニット（ＧＰＡ：Graphical Processor Unit）を用いてリアルタイムで行なわれるものでもよい。
【００２７】
好適な実施形態において、イオン検出器から出力される信号をデジタル化する工程及び／又はデジタル化信号のデコンボリューションを行なう工程が、プッシュ・バイ・プッシュ（push-by-push）方式で行なわれる。すなわち、飛行時間領域に入るように第１のイオン群を加速して、検出及び／又はデジタル化及び／又はデコンボリューションを行なった後に、飛行時間領域に入るように第２のイオン群を加速する。
【００２８】
上述の質量分析の方法は、望ましくは、さらに、
（ｉ）前記第１の信号をデジタル化する工程及び／又は前記第１のデジタル化信号のデコンボリューションを行なう工程の前に、前記飛行時間領域内に入るように第１のイオン群を加速する工程、及び／又は、
（ｉｉ）前記第２の信号をデジタル化する工程及び／又は前記第２のデジタル化信号のデコンボリューションを行なう工程の前に、前記飛行時間領域内に入るように第２のイオン群を加速する工程、及び／又は、
（ｉｉｉ）前記第３の信号をデジタル化する工程及び／又は前記第３のデジタル化信号のデコンボリューションを行なう工程の前に、前記飛行時間領域内に入るように第３のイオン群を加速する工程、を備える。
【００２９】
本発明の一つの態様は、質量分析計であって、
飛行時間領域内に入るようにイオンを加速する電極と、前記飛行時間領域を前記イオンが通過した後にイオンを検出するように構成されるイオン検出器と、を備える飛行時間型質量分析器と、
制御システムであって、
（ｉ）前記イオン検出器から出力される第１の信号をデジタル化して、第１のデジタル化信号を生成し、
（ｉｉ）前記第１のデジタル化信号のデコンボリューションを行なって、前記第１のデジタル化信号に関して１つ以上の第１のイオン到達時間と１つ以上の第１のイオン到達強度とを求め、
（ｉｉｉ）前記イオン検出器から出力される第２の信号をデジタル化して、第２のデジタル化信号を生成し、
（ｉｖ）前記第２のデジタル化信号のデコンボリューションを行なって、前記第２のデジタル化信号に関して１つ以上の第２のイオン到達時間と１つ以上の第２のイオン到達強度とを求め、
（ｖ）前記イオン検出器から出力される第３及びさらなる信号をデジタル化して、第３及びさらなるデジタル化信号を生成し、
（ｖｉ）前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求め、
（ｖｉｉ）前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する、ように配置及び構成される制御システムと、を備える。
【００３０】
前記制御システムが、
（ｉ）前記第１の信号をデジタル化する前及び／又は前記第１のデジタル化信号のデコンボリューションを行なう前に、前記飛行時間領域内に入るように第１のイオン群を加速する、及び／又は、
（ｉｉ）前記第２の信号をデジタル化する前及び／又は前記第２のデジタル化信号のデコンボリューションを行なう前に、前記飛行時間領域内に入るように第２のイオン群を加速する、及び／又は、
（ｉｉｉ）前記第３の信号をデジタル化する前及び／又は前記第３のデジタル化信号のデコンボリューションを行なう前に、前記飛行時間領域内に入るように第３のイオン群を加速する、ように配置及び構成されることが望ましい。
【００３１】
本発明の一つの態様は、質量分析の方法であって、
飛行時間領域内に入るようにイオンを加速する電極と、前記飛行時間領域を前記イオンが通過した後にイオンを検出するように構成されるイオン検出器と、を備える飛行時間型質量分析器と準備する工程と、
アナログ−デジタル変換器を用いて前記イオン検出器から出力される第１の信号をデジタル化して、第１のデジタル化信号を生成する工程と、
前記第１のデジタル化信号のデコンボリューションを行なって、前記第１のデジタル化信号に関して１つ以上の第１のイオン到達時間と１つ以上の第１のイオン到達強度とを求める工程であって、前記第１のデジタル化信号のデコンボリューションを行なう工程が、各イオン到達が既知の点広がり関数により表わされる応答を生じる場合に前記第１のデジタル化信号に最も良く適合するイオン到達時間の分布を求める工程を備える、工程と、
アナログ−デジタル変換器を用いて前記イオン検出器から出力される第２の信号をデジタル化して、第２のデジタル化信号を生成する工程と、
前記第２のデジタル化信号のデコンボリューションを行なって、前記第２のデジタル化信号に関して１つ以上の第２のイオン到達時間と１つ以上の第２のイオン到達強度とを求める工程であって、前記第２のデジタル化信号のデコンボリューションを行なう工程が、各イオン到達が既知の点広がり関数により表わされる応答を生じる場合に前記第２のデジタル化信号に最も良く適合するイオン到達時間の分布を求める工程を備える、工程と、
アナログ−デジタル変換器を用いて前記イオン検出器から出力される第３及びさらなる信号をデジタル化して、第３及びさらなるデジタル化信号を生成する工程と、
前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求める工程であって、前記第３及びさらなるデジタル化信号のデコンボリューションを行なう工程が、各イオン到達が既知の点広がり関数により表わされる応答を生じる場合に前記第３及びさらなるデジタル化信号に最も良く適合するイオン到達時間の分布を求める工程を備える、工程と、
前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する工程と、を備える。
【００３２】
上述の質量分析の方法は、望ましくは、さらに、
（ｉ）前記第１の信号をデジタル化する工程及び／又は前記第１のデジタル化信号のデコンボリューションを行なう工程の前に、前記飛行時間領域内に入るように第１のイオン群を加速する工程、及び／又は、
（ｉｉ）前記第２の信号をデジタル化する工程及び／又は前記第２のデジタル化信号のデコンボリューションを行なう工程の前に、前記飛行時間領域内に入るように第２のイオン群を加速する工程、及び／又は、
（ｉｉｉ）前記第３の信号をデジタル化する工程及び／又は前記第３のデジタル化信号のデコンボリューションを行なう工程の前に、前記飛行時間領域内に入るように第３のイオン群を加速する工程、を備える。
【００３３】
本発明の一つの態様は、質量分析計であって、
飛行時間領域内に入るようにイオンを加速する電極と、前記飛行時間領域を前記イオンが通過した後にイオンを検出するように構成されるイオン検出器と、を備える飛行時間型質量分析器と、
制御システムであって、
（ｉ）アナログ−デジタル変換器を用いて前記イオン検出器から出力される第１の信号をデジタル化して、第１のデジタル化信号を生成し、
（ｉｉ）前記第１のデジタル化信号のデコンボリューションを行なって、前記第１のデジタル化信号に関して１つ以上の第１のイオン到達時間と１つ以上の第１のイオン到達強度とを求め、ここで、前記制御システムが、各イオン到達が既知の点広がり関数により表わされる応答を生じる場合に前記第１のデジタル化信号に最も良く適合するイオン到達時間の分布を求めるように配置及び構成され、
（ｉｉｉ）アナログ−デジタル変換器を用いて前記イオン検出器から出力される第２の信号をデジタル化して、第２のデジタル化信号を生成し、
（ｉｖ）前記第２のデジタル化信号のデコンボリューションを行なって、前記第２のデジタル化信号に関して１つ以上の第２のイオン到達時間と１つ以上の第２のイオン到達強度とを求め、ここで、前記制御システムが、各イオン到達が既知の点広がり関数により表わされる応答を生じる場合に前記第２のデジタル化信号に最も良く適合するイオン到達時間の分布を求めるように配置及び構成され、
（ｖ）アナログ−デジタル変換器を用いて前記イオン検出器から出力される第３及びさらなる信号をデジタル化して、第３及びさらなるデジタル化信号を生成し、
（ｖｉ）前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求め、ここで、前記制御システムが、各イオン到達が既知の点広がり関数により表わされる応答を生じる場合に前記第３及びさらなるデジタル化信号に最も良く適合するイオン到達時間の分布を求めるように配置及び構成され、
（ｖｉｉ）前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する、ように配置及び構成される制御システムと、を備える。
【００３４】
前記制御システムが、さらに、
（ｉ）前記第１の信号をデジタル化する前及び／又は前記第１のデジタル化信号のデコンボリューションを行なう前に、前記飛行時間領域内に入るように第１のイオン群を加速する、及び／又は、
（ｉｉ）前記第２の信号をデジタル化する前及び／又は前記第２のデジタル化信号のデコンボリューションを行なう前に、前記飛行時間領域内に入るように第２のイオン群を加速する、及び／又は、
（ｉｉｉ）前記第３の信号をデジタル化する前及び／又は前記第３のデジタル化信号のデコンボリューションを行なう前に、前記飛行時間領域内に入るように第３のイオン群を加速する、ように配置及び構成されることが望ましい。
【００３５】
上述した実施形態は、複数の信号をデジタル化した後に組み合わせて複合データセットを形成し、次にデコンボリューションを行なう実施形態を含むものである。
【００３６】
本発明の一つの態様は、質量分析の方法であって、
飛行時間領域内に入るようにイオンを加速する電極と、前記飛行時間領域を前記イオンが通過した後にイオンを検出するように構成されるイオン検出器と、を備える飛行時間型質量分析器と準備する工程と、
（ｉ）前記飛行時間領域内に入るようにイオン群を加速する工程と、（ｉｉ）前記イオン検出器から出力される信号をデジタル化して、デジタル化信号を生成する工程と、を１回以上繰り返す工程と、
前記デジタル化信号を組み合わせて、第１の複合デジタル化信号を形成する工程と、
前記第１の複合デジタル化信号のデコンボリューションを行なって、前記第１の複合デジタル化信号に関して１つ以上の第１のイオン到達時間と１つ以上の第１のイオン到達強度とを求める工程と、
（ｉｉｉ）前記飛行時間領域内に入るようにイオン群を加速する工程と、（ｉｖ）前記イオン検出器から出力される信号をデジタル化して、デジタル化信号を生成する工程と、を１回以上繰り返す工程と、
前記デジタル化信号を組み合わせて、第２の複合デジタル化信号を形成する工程と、
前記第２の複合デジタル化信号のデコンボリューションを行なって、前記第２の複合デジタル化信号に関して１つ以上の第２のイオン到達時間と１つ以上の第２のイオン到達強度とを求める工程と、
前記１つ以上の第１のイオン到達時間と前記１つ以上の第２のイオン到達時間とを組み合わせると共に、前記１つ以上の第１のイオン到達強度と前記１つ以上の第２のイオン到達強度とを組み合わせて、複合イオン到達時間−強度スペクトルを生成する工程と、を備える。
【００３７】
一つの実施形態において、飛行時間領域内に入るように、さらなるイオン群を加速する工程と、イオン検出器から出力される信号をデジタル化する工程と、を１回以上繰り返すことが望ましい。得られたデジタル化信号を組み合わせて、さらなる複合デジタル化信号を形成することが望ましく、さらに、デジタル化信号のデコンボリューションを行なって、１つ以上のイオン到達時間と１つ以上のイオン到達強度とを求めるようにすることが望ましい。
【００３８】
本発明の一つの態様は、質量分析計であって、
飛行時間領域内に入るようにイオンを加速する電極と、前記飛行時間領域を前記イオンが通過した後にイオンを検出するように構成されるイオン検出器と、を備える飛行時間型質量分析器と、
制御システムであって、
（ｉ）前記飛行時間領域内に入るようにイオン群を加速する工程と、（ｉｉ）前記イオン検出器から出力される信号をデジタル化して、デジタル化信号を生成する工程と、を１回以上繰り返し、
前記デジタル化信号を組み合わせて、第１の複合デジタル化信号を形成し、
前記第１の複合デジタル化信号のデコンボリューションを行なって、前記第１の複合デジタル化信号に関して１つ以上の第１のイオン到達時間と１つ以上の第１のイオン到達強度とを求め、
（ｉｉｉ）前記飛行時間領域内に入るようにイオン群を加速する工程と、（ｉｖ）前記イオン検出器から出力される信号をデジタル化して、デジタル化信号を生成する工程と、を１回以上繰り返し、
前記デジタル化信号を組み合わせて、第２の複合デジタル化信号を形成し、
前記第２の複合デジタル化信号のデコンボリューションを行なって、前記第２の複合デジタル化信号に関して１つ以上の第２のイオン到達時間と１つ以上の第２のイオン到達強度とを求め、
前記１つ以上の第１のイオン到達時間と前記１つ以上の第２のイオン到達時間とを組み合わせると共に、前記１つ以上の第１のイオン到達強度と前記１つ以上の第２のイオン到達強度とを組み合わせて、複合イオン到達時間−強度スペクトルを生成する、ように構成及び配置される制御システムと、を備える。
【００３９】
一つの実施形態において、飛行時間領域内に入るように、さらなるイオン群を加速する工程と、イオン検出器から出力される信号をデジタル化する工程と、を１回以上繰り返すことが望ましい。得られたデジタル化信号を組み合わせて、さらなる複合デジタル化信号を形成することが望ましく、さらに、デジタル化信号のデコンボリューションを行なって、１つ以上のイオン到達時間と１つ以上のイオン到達強度とを求めるようにすることが望ましい。
【００４０】
好適な実施形態は、質量分析の方法に関し、質量分析の方法は、
イオン検出器から出力される第１の信号をデジタル化して、第１のデジタル化信号を生成する工程と、
高速デコンボリューション・アルゴリズムを用いて、第１のデジタル化信号に関してイオン到達時間とイオン到達強度とを算出する工程と、
複数のデジタル化信号から算出したイオン到達時間とイオン到達強度とを組み合わせて、イオン到達時間−強度スペクトルを生成する工程と、を備える。
【００４１】
有限インパルス応答（ＦＩＲ：Finite Impulse Response）フィルタを用いて、トリガーとなるイベントに対してイオン検出器にイオンが到達することにより得られる個々のデジタル化信号を処理する技術が知られている。有限インパルス応答フィルタは、以下の式により規定されるものでもよい。
【数２】
2013519873.tif 000004
ここで、ｎは、サンプル番号又はビン番号であり、ｘ［ｎ］は入力信号、ｙ［ｎ］は出力信号、ｂiはフィルタ係数である。
【００４２】
Ｎはフィルタの次数を示し、Ｎ次フィルタは、右辺に（Ｎ＋１）個の項を有する。
【００４３】
有限インパルス応答フィルタの例としては、１回微分フィルタ及び２回微分フィルタや鮮明化フィルタが挙げられる。これらのフィルタを用いて、ノイズに対する信号応答を高めるようにしてもよい。フィルタの出力を用いて、イオン到達時間及びイオン到達強度に関する情報を得る。たとえば、１回微分フィルタを適用することにより形成されるゼロ交差点は、イオン検出器にイオンが到達することにより得られるデジタル信号の頂点の時間的位置を示す。
【００４４】
このようなフィルタは、フィールド・プログラマブル・ゲート・アレイ（ＦＰＧＡ：Field Programmable Gate Array）等の高速デジタル・エレクトロニクスにおいて容易に実現可能であるという利点がある。これにより、飛行時間型子質量分析計に適した時間スケールで個々の過渡信号を処理することが可能になる。
【００４５】
ただし、有限インパルス応答フィルタは、重なったパルスを分離する能力が限られている。一般に、イオン到達が重なった場合に得られるデジタル化信号は、信号の二次導関数において変曲点を示し、重なったピークを識別可能なものでなければならない。さらに、信号が非常に近接して重なっていることがピークの面積又は質量中心に与える影響により、部分的に分かれたピークでさえも間違って割り当てられる可能性がある。
【００４６】
重なった信号のイオン到達時間を求める方法として、デコンボリューションを用いる方法が優れている。一般に、デコンボリューションは、以下の形のコンボリューション（畳み込み）方程式の解を求めることを目的とする。
【数３】
2013519873.tif 000005
ここで、ｇは記録される信号であり、ｆは測定対象の信号であって、記録されるよりも前に他の信号ｐでコンボリューションされた信号である。
【００４７】
飛行時間型質量分析計の場合、ｇはＡＤＣにより記録される１つの過渡信号内のイオンストライクから得られるデジタル化信号であり、ｐは検出器応答又は単一のイオン到達により生成される信号のアナログ幅に関し、ｆは実際の到達時間及び強度（時間−強度対）である。
【００４８】
一般に、周知のデコンボリューションの方法としては、フーリエ変換デコンボリューション、非負の最小二乗法及び最大エントロピー法が挙げられる。
【００４９】
好適な実施形態において、「CLEAN」と呼ばれる周知のアルゴリズムの修正版に基づくデコンボリューションの方法を用いるようにしてもよい。CLEANアルゴリズムは、電波天文学において形成される画像上でデコンボリューションを行なう計算アルゴリズムである。このアルゴリズムでは、１つの画像が多数の点源から構成されると仮定する。このアルゴリズムでは、画像内の最高値を求め、最高値が所定の閾値未満になるまで、測定結果の点広がり関数を用いてコンボリューションした点源の小ゲインを最高値から減算する。詳細に関しては、Hogbom J.A. １９７４年、Astron. Astrophys. Suppl. 15巻, 417-426ページ参照。
【００５０】
好適な実施形態において、フィールド・プログラマブル・ゲート・アレイ（ＦＰＧＡ：Field Programmable Gate Array）処理エレクトロニクスを用いて、CLEANアルゴリズムの修正版を実現するようにしてもよい。好適な実施形態において、修正版CLEANアルゴリズムを整数計算のみを組み込むように構成し、さらに、重なっている信号を取り扱うように構成してもよい。
【００５１】
一つの実施形態において、装置が、さらに、
（ａ）（ｉ）エレクトロスプレーイオン化（Electrospray ionization: ESI）イオン源、（ｉｉ）大気圧光イオン化（Atmospheric Pressure Photo Ionization: APPI）イオン源、（ｉｉｉ）大気圧化学イオン化（Atmospheric Pressure Chemical Ionization: APCI）イオン源、（ｉｖ）マトリックス支援レーザー脱離イオン化（Matrix Assisted Laser Desorption Ionization: MALDI）イオン源、（ｖ）レーザー脱離イオン化（Laser Desorption Ionization: LDI）イオン源、（ｖｉ）大気圧イオン化（Atmospheric Pressure Ionization: API）イオン源、（ｖｉｉ）シリコンを用いた脱離イオン化（Desorption Ionization on Silicon: DIOS）イオン源、（ｖｉｉｉ）電子衝撃（Electron Impact: EI）イオン源、（ｉｘ）化学イオン化（Chemical Ionization: CI）イオン源、（ｘ）電界イオン化（Field Ionization: FI）イオン源、（ｘｉ）電界脱離（Field Desorption: FD）イオン源、（ｘｉｉ）誘導結合プラズマ（Inductively Coupled Plasma: ICP）イオン源、（ｘｉｉｉ）高速原子衝撃（Fast Atom Bombardment: FAB）イオン源、（ｘｉｖ）液体二次イオン質量分析（Liquid Secondary Ion Mass Spectrometry: LSIMS）イオン源、（ｘｖ）脱離エレクトロスプレーイオン化（Desorption Electrospray Ionization: DESI）イオン源、（ｘｖｉ）ニッケル−63放射性イオン源、（ｘｖｉｉ）大気圧マトリックス支援レーザー脱離イオン化（Atmospheric Pressure Matrix Assisted Laser Desorption Ionization）イオン源、（ｘｖｉｉｉ）サーモスプレーイオン源、（ｘｉｘ）大気サンプリンググロー放電イオン化（Atmospheric Sampling Glow Discharge Ionization: ASGDI）イオン源及び（ｘｘ）グロー放電（Glow Discharge: GD）イオン源からなる群から選択される１つ以上のイオン源、及び／又は、
（ｂ）１つ以上の連続又はパルスイオン源、及び／又は、
（ｃ）１つ以上のイオンガイド、及び／又は、
（ｄ）１つ以上のイオン移動度分離装置及び／又は１つ以上の電界非対称イオン移動度分光計（Field Asymmetric Ion Mobility Spectrometer）、及び／又は、
（ｅ）１つ以上のイオントラップ又は１つ以上のイオン捕捉領域、及び／又は、
（ｆ）（ｉ）衝突誘起解離（Collisional Induced Dissociation: CID）フラグメンテーション装置、（ｉｉ）表面誘起解離（Surface Induced Dissociation: SID）フラグメンテーション装置、（ｉｉｉ）電子移動解離（Electron Transfer Dissociation: ETD）フラグメンテーション装置、（ｉｖ）電子捕獲解離（Electron Capture Dissociation: ECD）フラグメンテーション装置、（ｖ）電子衝突（Electron Collision）又は電子衝撃解離（Electron Impact Dissociation)フラグメンテーション装置、（ｖｉ）光誘起解離（Photo Induced Dissociation: PID）フラグメンテーション装置、（ｖｉｉ）レーザー誘起解離（Laser Induced Dissociation）フラグメンテーション装置、（ｖｉｉｉ）赤外線誘起解離装置、（ｉｘ）紫外線誘起解離装置、（ｘ）ノズル・スキマー・インターフェース・フラグメンテーション装置、（ｘｉ）インソースフラグメンテーション装置、（ｘｉｉ）インソース衝突誘起解離（Collision Induced Dissociation）フラグメンテーション装置、（ｘｉｉｉ）熱源又は温度源フラグメンテーション装置、（ｘｉｖ）電場誘起フラグメンテーション装置、（ｘｖ）磁場誘起フラグメンテーション装置、（ｘｖｉ）酵素消化又は酵素分解フラグメンテーション装置、（ｘｖｉｉ）イオン−イオン反応フラグメンテーション装置、（ｘｖｉｉｉ）イオン−分子反応フラグメンテーション装置、（ｘｉｘ）イオン−原子反応フラグメンテーション装置、（ｘｘ）イオン−準安定イオン反応フラグメンテーション装置、（ｘｘｉ）イオン−準安定分子反応フラグメンテーション装置、（ｘｘｉｉ）イオン−準安定原子反応フラグメンテーション装置、（ｘｘｉｉｉ）イオンの反応により付加イオン又はプロダクトイオン（生成イオン）を形成するイオン−イオン反応装置、（ｘｘｉｖ）イオンの反応により付加イオン又はプロダクトイオンを形成するイオン−分子反応装置、（ｘｘｖ）イオンの反応により付加イオン又はプロダクトイオンを形成するイオン−原子反応装置、（ｘｘｖｉ）イオンの反応により付加イオン又はプロダクトイオンを形成するイオン−準安定イオン反応装置、（ｘｘｖｉｉ）イオンの反応により付加イオン又はプロダクトイオンを形成するイオン−準安定分子反応装置、（ｘｘｖｉｉｉ）イオンの反応により付加イオン又はプロダクトイオンを形成するイオン−準安定原子反応装置、及び（ｘｘｉｘ）電子イオン化解離（Electron Ionization Dissociation: EID）フラグメンテーション装置、からなる群から選択される衝突、フラグメンテーション又は反応セル、及び／又は、
（ｇ）（ｉ）四重極質量分析器、（ｉｉ）２次元又はリニア四重極質量分析器、（ｉｉｉ）ポール（Paul）トラップ型又は３次元四重極質量分析器、（ｉｖ）ペニング（Penning）トラップ型質量分析器、（ｖ）イオントラップ型質量分析器、（ｖｉ）磁場型質量分析器、（ｖｉｉ）イオンサイクロトロン共鳴（Ion Cyclotron Resonance: ICR）質量分析器（ｖｉｉｉ）フーリエ変換イオンサイクロトロン共鳴（Fourier Transform Ion Cyclotron Resonance: FTICR）質量分析器、（ｉｘ）静電またはオービトラップ型質量分析器、（ｘ）フーリエ変換（Fourier Transform）静電又はオービトラップ型質量分析器、（ｘｉ）フーリエ変換（Fourier Transform）質量分析器、（ｘｉｉ）飛行時間型（Time of Flight）質量分析器、（ｘｉｉｉ）直交加速飛行時間型（Time of Flight）質量分析器、及び（ｘｉｖ）線形加速飛行時間型（Time of Flight）質量分析器、からなる群から選択される質量分析器、及び／又は、
（ｈ）１つ以上のエネルギー分析器又は静電エネルギー分析器、及び／又は、
（ｉ）１つ以上のイオン検出器、及び／又は、
（ｊ）（ｉ）四重極マスフィルタ、（ｉｉ）２次元又はリニア四重極イオントラップ、（ｉｉｉ）ポール（Paul）又は３次元四重極イオントラップ、（ｉｖ）ペニング（Penning）イオントラップ、（ｖ）イオントラップ、（ｖｉ）磁気セクタ型マスフィルタ、（ｖｉｉ）飛行時間型（Time of Flight: TOF）マスフィルタ、及び（ｖｉｉｉ）ウィーン（Wien）フィルタ、からなる群から選択される１つ以上のマスフィルタ、及び／又は、
（ｋ）イオンをパルス状にする装置又はイオンゲート、及び／又は、
（ｌ）、実質的に連続的なイオンビームをパルスイオンビームに変換する装置、を備えることが望ましい。
【００５２】
質量分析計は、さらに、使用時にイオンを透過させる開口部を各々有する複数の電極を備える積層リング型イオンガイドを備えることが望ましい。この場合、電極間の間隔がイオン通路の長さ方向に沿って増大する。イオンガイドの上流部分に配置される電極の開口部が第１の直径を有する一方で、イオンガイドの下流部分に配置される電極の開口部が前記第１の直径よりも小径の第２の直径を有する。また、使用時に、連続する電極に、逆相のＡＣ又はＲＦ電圧を印加する。
【００５３】
以下、例示を目的として、本発明のさまざまな実施形態を添付の図面を参照して詳述する。
【図面の簡単な説明】
【００５４】
【図１】デジタル化された点広がり関数ｐ（ｘ）を示す図。
【図２】牛インスリンの[M+5H]5+イオンの同位体クラスタから得られた２つのデジタル化イオン応答を含む単一の飛行時間スペクトルの領域を示す図。
【図３】好適なデコンボリューション処理で用いられる点広がり関数を示す図。
【図４Ａ】牛インスリンの[M+5H]5+イオンの同位体クラスタから得られた複数のデジタル化イオン応答を含む単一の飛行時間スペクトルの領域を示す図。
【図４Ｂ】好適な実施形態において、図３に示す点広がり関数を仮定した場合に、図４Ａに示す飛行時間スペクトルのデコンボリューションにより求められたイオン到達位置と強度とを示す図。
【図５Ａ】牛インスリンの[M+5H]5+イオンの同位体クラスタから得られたイオン応答を含む領域における４４９個の飛行時間スペクトルの合計を示す図。
【図５Ｂ】本発明の好適な実施形態において、処理後の対応する４４９個の飛行時間スペクトルの合計を示す図。
【発明を実施するための形態】
【００５５】
本発明の好適な実施形態を説明する。好適な実施例では、イオン検出器を備える飛行時間型質量分析器を準備する。各飛行時間分析においてイオン検出器からの出力をアナログ−デジタル変換器（ＡＤＣ：Analog to Digital Converter）デジタル化することが望ましい。
【００５６】
好適な実施形態に置いて、各飛行時間スペクトルにデコンボリューション・アルゴリズムを適用する。このデコンボリューション・アルゴリズムは、整数計算のみを行なうように構成されている。デコンボリューションの方法は、以下で詳細に説明するように、この環境で重なっている信号源を取り扱うようにさらに拡張されたものでもよい。
【００５７】
一つの実施形態において、デューティ比に損失を与えることなく個々の飛行時間スペクトル上でデコンボリューションを実行可能な高速フィールド・プログラマブル・ゲート・アレイ（ＦＰＧＡ：Field Programmable Gate Array）のアーキテクチャを用いるようにしてもよい。アナログ−デジタル変換器（ＡＤＣ：Analog to Digital Converter）により生成されるデジタル化信号の解析には、好適な実施形態において用いられる整数計算が特に適している。
【００５８】
好適な実施形態の態様を説明するために、コンボリューション（畳み込みによりリアルマップｆ（ｘ）をデータ領域ｇ（ｘ）に変換する空間不変量点広がり関数（ＰＳＦ：point spread function）を仮定する。
【数４】
2013519873.tif 000006
【００５９】
点広がり関数は、イオン検出器の応答を平均強度の単一イオン到達に変換する理想化プロファイルを表わす。リアルマップｆ（ｘ）は個々のイオンの実際の到達時間を示し、データ領域ｇ（ｘ）は最終的に記録される飛行時間スペクトルを示す。
【００６０】
イオン検出器から出力されるアナログ信号をデジタル化する際に、有限グリッド上で測定結果が得られると考えることができる。このグリッドの粗さはアナログ−デジタル変換器のデジタル化速度に依存する。信号もノイズの影響を受ける。上述の式３で示す変換を反転させる代わりに、好適な実施形態ではｆを推定する。説明を容易にするために、リアルマップｆ（ｘ）及びデータ領域ｇ（ｘ）が同じグリッド上でデジタル化されると仮定する。
【数５】
2013519873.tif 000007
【００６１】
記録データｇiは、測定値ｙiにノイズによる誤差を含むものである。ノイズは、独立ガウス分布であると仮定すると、一様に、以下の分散式で表わすことができる。
【数６】
2013519873.tif 000008
あるいは、以下の行列−ベクトル式で表わすことができる。
【数７】
2013519873.tif 000009
【００６２】
ｆに関する法線を求めることにより式６を最小化することができる。
【数８】
2013519873.tif 000010
【００６３】
始点ｆ(0)から徐々に値を増加させて、χ2等を減少させるインクリメント（増加量）Δｆ(0)を選択することにより、これを実施するようにしてもよい。
【００６４】
ベクトルｆは、イオン到達時間をデジタル化計算を行なう。点広がり関数は平均高さのイオン検出器からの電圧パルスであり、ｙは同じグリッド上でデジタル化された検出器電圧波形測定値である。
【００６５】
図１にデジタル化点広がり関数ｐ（ｘ）の例を示す。この関数は、値２、６、１１、１４、１５、１４、１１、６、２を有し、整数計算で閾値ｔ＝２2＋６2＋１１2＋１４2＋１５2／２＝４６９を与える。
【００６６】
マップを以下のようにインクリメントする
【数９】
2013519873.tif 000011
ことにより生成されるχ2のデクリメント（減少量）は以下のように表わされる。
【数１０】
2013519873.tif 000012
【００６７】
ｆの自然インクリメント（増加）は、所定の時間指数ｊにおいて単一のイオン到達を加算するものである。この結果、以下の式が設定される。
【数１１】
2013519873.tif 000013
すなわち、ｊ番目の要素のみがゼロではない。
【００６８】
単一指数ｊを選択して、イオン計数を１インクリメントする（増加する）ことにより以下の式が得られる。
【数１２】
2013519873.tif 000014
ここで、
【数１３】
2013519873.tif 000015
ここで、ｒ(n)は、不明確な残差ベクトルを示す。
【００６９】
Δχ2に関する式の第１項は、不明確なデータと二重に不明確なマップとの間の差が最大になるような時間指数、すなわち、ｒ(n)の最大値における時間指数を選択することにより、χ2の最大デクリメント（減少量）が得られることを示す。すなわち、不明確なデータと二重に不明確なマップとの間の差が自己コンボリューションにより点広がり関数のピーク値の半分未満になるとインクリメント（増加）を停止する自然停止基準が提示される。
【００７０】
実際には、許容閾値よりも大きな、単一繰り返しにおける不明確な残差ベクトルｒ(n)のすべての極大値において、イオン計数をインクリメント（増加）させることができる。
【数１４】
2013519873.tif 000016
【００７１】
好適な実施形態において、用いられる修正CLEANアルゴリズムは、以下の工程を含むものでもよい。
１．いずれの場所においてもｆ(0)をゼロに初期化する。
２．ｎ＝１〜Ｎ繰り返しに関して、不明確な残差を計算する。
【数１５】
2013519873.tif 000017
３．
【数１６】
2013519873.tif 000018
よりも大きなｒの各極大値ｒjに関して、以下の式を設定する。
【数１７】
2013519873.tif 000019
【００７２】
上述の処理は、ある程度分離された多数の点源の位置及び強度を見つけるのに特に適している。
【００７３】
閾値を調節することにより、非ゼロのバックグラウンドレベルに対応可能である。
【数１８】
2013519873.tif 000020
ここで、ｂはバックグラウンドレベルを示す。
【００７４】
ただし、各プッシュ毎の質量スペクトルピークにおける何十ものイオンのイオン到達速度に関して、上述の処理の効果が充分に得られるのに十分な程度にイオン到達を分離できない場合もある。
【００７５】
電圧パルスが重なっている場合には、生成される極大値がイオン到達時間に対応しない可能性があるという問題が生じる。このような場合、選択される最初の極大値は、（マップをインクリメント後に測定される）後続の極大値よりも誤差が大きい可能性がある。特に好適な実施形態において、以下の説明で「CLEANER」処理と称する工程を含むように、上述した修正CLEAN処理をさらに修正するようにしてもよい。CLEANER処理は、以下の工程を含むものでもよい。
１．いずれの場所においてもｆ(0)をゼロに初期化する。
２．ｎ＝１〜Ｎ繰り返しに関して、不明確な残差を計算する。
【数１９】
2013519873.tif 000021
３．
【数２０】
2013519873.tif 000022
で与えられるエロージョンの確率を有する各
【数２１】
2013519873.tif 000023
に関して、以下の式を設定する。
【数２２】
2013519873.tif 000024
４．
【数２３】
2013519873.tif 000025
よりも大きなｒの各極大値ｒjに関して、以下の式を設定する。
【数２４】
2013519873.tif 000026
【００７６】
繰り返し数ｎが増加するにつれて、エロージョンの確率ｑnは直線的に低下する。
【００７７】
異なるプッシュに関して取得されたデータに対応する多数のデータセットが利用可能であれば、Hogbom（１９７４年）に記載される「ループゲインγ」の漸増として、エロージョンの確率ｑの低下を観測することができる。実際には、真のイオン到達位置に関する不確実性が高い場合には、低いγ値が用いられる。
【００７８】
好適な実施形態の様々な態様を説明するために、エレクトロスプレー型イオン源を介して、直交加速飛行時間型質量分析計に牛インスリンのサンプルを注入した。[M+5H]5+イオンにより生成されるイオン信号が、イオン検出器に入力され、３ＧＨｚのデジタル化速度で、８ビットのアナログ−デジタル変換器を用いて記録された。９２６個の飛行時間スペクトルが記録され、上述した好適なCLEANER処理を１２８回繰り返すことにより、各飛行時間スペクトルのデコンボリューションを行なった。各飛行時間スペクトルに関して求めたイオン到達位置を最終的なスペクトルにまとめた。
【００７９】
図２に単一の飛行時間スペクトルを示す。このスペクトルでは、２つの単一イオン到達がはっきりと分かる。イオンは、牛インスリンの[M+5H]5+イオンの同位体クラスタ由来のものである。図２に示す飛行時間スペクトルの検討及び個々のイオン到達を含む他のスペクトルの検討から、イオン到達の特徴的な形状を表わす点広がり関数を誘導するようにしてもよい。この例における点広がり関数は、図３に示すように、強度値１、２、５、１７、２３、１６、６、２、２、４、３、２、１を有する。この例では、単一イオンプロファイルは非対称であり、立下りエッジの後で有意のサテライト又はリンギング・ピークを有する。サテライトは、検出器エレクトロニクスにおけるインピーダンスの不一致により生じ、非常に高速の単一イオン応答では大なり小なり見られる現象である。
【００８０】
図４Ａに、同じデータセットから得られた飛行時間スペクトルＮｏ．４４９を示す。この場合、イオン検出器に複数のイオンが到達した。図４Ａに示す飛行時間スペクトルにおいて、ピーク１は、単一イオン到達から予測される単一応答よりも高さ及び幅が大きい。したがって、このピークは、狭い時間ウィンドウの間に到達した複数のイオン信号が重なって生成されている可能性が高い。
【００８１】
図４Ｂに，好適な実施形態に従って計算した場合の到達時間位置を示す。図４Ｂに示すように、ピーク１は、各々が図３に示す点広がり関数を有する複数のイオン到達値に割り当てられる。これに対して、当業者には周知のように、有限インパルス応答フィルタに基づく処理等のピーク検出処理では、信号の質量中心又は頂点に対応する信号の単一飛行時間値のみを検出することができる。図４Ａのピーク１により表わされる単一のイオンピークを４つのピークに分解することにより、短時間の間に７個のイオン到達が生じていることが示される。このことから、周知の方法と比較して、本発明の好適な実施形態の効果が明らかである。
【００８２】
図５Ａに、９２６個の飛行時間スペクトルをまとめて、閾値バックグラウンド減算法を適用して得られた飛行時間スペクトルを示す。牛インスリンの５+イオンの同位体エンベロープが明確に観察される。ただし、図２に示すような各単一イオン到達に伴う非対称性により、最終的なスペクトルの各同位体ピークにおいても対応する非対称性が明確に観察される。
【００８３】
図５Ｂに、好適な実施形態に従う処理後の図５Ａのデータを示す。図５Ａと比較して、ピークの対称性が大幅に向上していることが明らかである。これは、より好ましいピーク形状、さらに、より明確な谷の分離につながる。デコンボリューション処理に用いられる点広がり関数を検出システムの特徴的なイオンプロファイルに一致させることにより、最終的なデータにおけるアーチファクト（不自然な結果）やテーリングを抑制することが可能になる。これらの質的向上に加えて、質量分解能も増大する。これは、好適な実施形態において、図５Ａに明示されるイオン到達プロファイルからピーク幅に対する影響を効果的に取り除くことができるためである。
【００８４】
この例では、比較データを与えるために取得したデータの後処理を行なったが、好適な実施形態において、フィールド・プログラマブル・ゲート・アレイ（ＦＰＧＡ：Field Programmable Gate Array）又はグラフィカル・プロセッサ・ユニット（ＧＰＡ：Graphical Processor Unit）アーキテクチャを用いてリアルタイムで処理を行なうことが望ましい。
【００８５】
上述した方法では、デジタル化ビン幅の＋側及び−側に半分の精度でイオン到達時間を求めることが望ましい。ただし、他の実施形態において、入力信号のデジタル化精度の半分未満の精度でイオン到達時間を求めるようにしてもよい。この場合には、データと比べて点広がり関数のサンプリングを増大させればよい、及び／又は、デコンボリューションの前に補間によりデータのサンプリングを増大させればよい。
【００８６】
あるいは、１つのデジタル化ビンにおいて許容閾値を超える不明確な残差における応答の極大値を記録する代わりに、不明確な残差の頂点を補間することによって、又は、信号の重み付け質量中心を算出することによって、より精度よく極大値を記録するようにしてもよい。
【００８７】
イオン到達時間が高精度で得られる場合、デコンボリューション後の個々の飛行時間スペクトルを組み合わせる際に、元のデジタル化データのグリッド間隔よりも細かいグリッド間隔を用いるようにしてもよい。これにより、元のデータと比べて、最終的に得られる質量スペクトルのデジタル化速度が明らかに高くなる。
【００８８】
さらに、イオン到達時間が高精度で得られる場合、得られたイオン到達時間Ｔ0を第１の到達時間Ｔnと第２の到達時間Ｔn+1とに変換することにより、また、イオンの測定強度Ｓ0を、第１の強度Ｓnと第２の強度Ｓn+1とで表わすことにより、この精度を最終的なデータでも維持することができる。ここで、ｎはＴ0に最も近いデジタル化時間ビンである。
【数２５】
2013519873.tif 000027
【００８９】
以上、本発明をその好適な実施形態を参照して詳述したが、当業者には自明のことであるが、特許請求の範囲に記載される本発明の要旨を逸脱しない範囲において、形態や詳細において、種々の変形や変更が可能である。
【図１】
2013519873.tif 000029
【図２】
2013519873.tif 000030
【図３】
2013519873.tif 000031
【図４Ａ】
2013519873.tif 000032
【図４Ｂ】
2013519873.tif 000033
【図５Ａ】
2013519873.tif 000034
【図５Ｂ】
2013519873.tif 000035
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
質量分析の方法であって、
飛行時間領域内に入るようにイオンを加速する電極と、前記飛行時間領域を前記イオンが通過した後にイオンを検出するように構成されるイオン検出器と、を備える飛行時間型質量分析器と準備する工程と、
前記イオン検出器から出力される第１の信号をデジタル化して、第１のデジタル化信号を生成する工程と、
前記第１のデジタル化信号のデコンボリューションを行なって、前記第１のデジタル化信号に関して１つ以上の第１のイオン到達時間と１つ以上の第１のイオン到達強度とを求める工程と、
前記イオン検出器から出力される第２の信号をデジタル化して、第２のデジタル化信号を生成する工程と、
前記第２のデジタル化信号のデコンボリューションを行なって、前記第２のデジタル化信号に関して１つ以上の第２のイオン到達時間と１つ以上の第２のイオン到達強度とを求める工程と、
前記イオン検出器から出力される第３及びさらなる信号をデジタル化して、第３及びさらなるデジタル化信号を生成する工程と、
前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求める工程と、
前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する工程と、を備え、
前記イオン検出器から出力される前記第１の信号をデジタル化する工程と、前記イオン検出器から出力される前記第２の信号をデジタル化する工程と、前記イオン検出器から出力される前記第３及びさらなる信号をデジタル化する工程とが、アナログ−デジタル変換器を用いて、前記第１の信号と、前記第２の信号と、前記第３及びさらなる信号とをデジタル化する工程を備え、
前記第１のデジタル化信号のデコンボリューションを行なう工程と、前記第２のデジタル化信号のデコンボリューションを行なう工程と、前記第３及びさらなるデジタル化信号のデコンボリューションを行なう工程とが、（ｉ）前記イオン検出器に到達して前記イオン検出器により検出される単一のイオンの特徴を示す点広がり関数を求める工程、又は、（ｉｉ）前記イオン検出器に到達して前記イオン検出器により検出される単一のイオンの特徴を示す所定の点広がり関数を用いる工程、のいずれかの工程を備える、質量分析の方法。
【請求項２】
請求項１に記載の質量分析の方法であって、
（ｉ）前記第１のデジタル化信号のデコンボリューションを行なう工程が、前記イオン検出器に到達して前記イオン検出器により検出されるイオンの特徴を示す点広がり関数の逆数を用いて、前記第１のデジタル化信号のコンボリューションを行なう工程を備える、及び、
（ｉｉ）前記第２のデジタル化信号のデコンボリューションを行なう工程が、前記イオン検出器に到達して前記イオン検出器により検出されるイオンの特徴を示す点広がり関数の逆数を用いて、前記第２のデジタル化信号のコンボリューションを行なう工程を備える、及び、
（ｉｉｉ）前記第３及びさらなるデジタル化信号のデコンボリューションを行なう工程が、前記イオン検出器に到達して前記イオン検出器により検出されるイオンの特徴を示す点広がり関数の逆数を用いて、前記第３及びさらなるデジタル化信号のコンボリューションを行なう工程を備える、質量分析の方法。
【請求項３】
請求項１または２に記載の質量分析の方法であって、
（ｉ）前記第１のデジタル化信号のデコンボリューションを行なう工程が、各イオン到達が既知の点広がり関数によって表わされる応答を生じる場合に前記第１のデジタル化信号に最も良く適合するイオン到達時間の分布を求める工程を備える、及び、
（ｉｉ）前記第２のデジタル化信号のデコンボリューションを行なう工程が、各イオン到達が既知の点広がり関数によって表わされる応答を生じる場合に前記第２のデジタル化信号に最も良く適合するイオン到達時間の分布を求める工程を備える、及び、
（ｉｉｉ）前記第３及びさらなるデジタル化信号のデコンボリューションを行なう工程が、各イオン到達が既知の点広がり関数によって表わされる応答を生じる場合に前記第３及びさらなるデジタル化信号に最も良く適合するイオン到達時間の分布を求める工程を備える、質量分析の方法。
【請求項４】
請求項１から３までのいずれか一項に記載の質量分析の方法であって、
前記第１のデジタル化信号と、前記第２のデジタル化信号と、前記第３及びさらなるデジタル化信号とに関して前記イオン到達時間と前記イオン到達強度とを求める工程が、デコンボリューション・アルゴリズムを用いる工程を備え、
前記高速デコンボリューション・アルゴリズムが、（ｉ）修正CLEANアルゴリズムと（ｉｉ）最大エントロピー法と（ｉｉｉ）高速フーリエ変換と（ｉｖ）非負の最小二乗法とからなる群から選択される、質量分析の方法。
【請求項５】
請求項４に記載の質量分析の方法であって、
前記デコンボリューション・アルゴリズムが、既知の線幅と、前記イオン検出器により生成された後に個々のイオン到達に応じてデジタル化される信号の特徴を示す形状とを用いる、質量分析の方法。
【請求項６】
請求項１から５までのいずれか一項に記載の質量分析の方法であって、
さらに、得られたイオンの到達時間Ｔ0を第１の到達時間Ｔnと第２の到達時間Ｔn+1とに変換する工程であって、ｎがＴ0に最も近いデジタル化時間ビンを表わす工程と、
得られたイオンの強度Ｓ0を第１の強度Ｓnと第２の強度Ｓn+1とで表わす工程と、
を備え、
【数２６】
2013519873.tif 000036
である、質量分析の方法。
【請求項７】
請求項１から６までのいずれか一項に記載の質量分析の方法であって、
前記第１のデジタル化信号と前記第２のデジタル化信号と前記第３及びさらなるデジタル化信号とのデコンボリューションを行なう工程が、前記第１のデジタル化信号と前記第２のデジタル化信号と前記第３及びさらなるデジタル化信号との後処理により行なわれる、質量分析の方法。
【請求項８】
請求項１から６までのいずれかに記載の質量分析の方法であって、
前記第１のデジタル化信号と前記第２のデジタル化信号と前記第３及びさらなるデジタル化信号とのデコンボリューションを行なう工程が、フィールド・プログラマブル・ゲート・アレイ（ＦＰＧＡ：Field Programmable Gate Array）又はグラフィカル・プロセッサ・ユニット（ＧＰＡ：Graphical Processor Unit）を用いてリアルタイムで行なわれる、質量分析の方法。
【請求項９】
請求項１から８までのいずれか一項に記載の質量分析の方法であって、
さらに、（ｉ）前記第１の信号をデジタル化する工程及び／又は前記第１のデジタル化信号のデコンボリューションを行なう工程の前に、前記飛行時間領域内に入るように第１のイオン群を加速する工程、及び／又は、
（ｉｉ）前記第２の信号をデジタル化する工程及び／又は前記第２のデジタル化信号のデコンボリューションを行なう工程の前に、前記飛行時間領域内に入るように第２のイオン群を加速する工程、及び／又は、
（ｉｉｉ）前記第３の信号をデジタル化する工程及び／又は前記第３のデジタル化信号のデコンボリューションを行なう工程の前に、前記飛行時間領域内に入るように第３のイオン群を加速する工程、を備える質量分析の方法。
【請求項１０】
質量分析計であって、
飛行時間領域内に入るようにイオンを加速する電極と、前記飛行時間領域を前記イオンが通過した後にイオンを検出するように構成されるイオン検出器と、を備える飛行時間型質量分析器と、
制御システムであって、
（ｉ）前記イオン検出器から出力される第１の信号をデジタル化して、第１のデジタル化信号を生成し、
（ｉｉ）前記第１のデジタル化信号のデコンボリューションを行なって、前記第１のデジタル化信号に関して１つ以上の第１のイオン到達時間と１つ以上の第１のイオン到達強度とを求め、
（ｉｉｉ）前記イオン検出器から出力される第２の信号をデジタル化して、第２のデジタル化信号を生成し、
（ｉｖ）前記第２のデジタル化信号のデコンボリューションを行なって、前記第２のデジタル化信号に関して１つ以上の第２のイオン到達時間と１つ以上の第２のイオン到達強度とを求め、
（ｖ）前記イオン検出器から出力される第３及びさらなる信号をデジタル化して、第３及びさらなるデジタル化信号を生成し、
（ｖｉ）前記第３及びさらなるデジタル化信号のデコンボリューションを行なって、前記第３及びさらなるデジタル化信号に関して１つ以上の第３及びさらなるイオン到達時間と１つ以上の第３及びさらなるイオン到達強度とを求め、
（ｖｉｉ）前記１つ以上の第１のイオン到達時間と前記１つ以上の第２のイオン到達時間と前記１つ以上の第３及びさらなるイオン到達時間とを組み合わせると共に、前記１つ以上の第１のイオン到達強度と前記１つ以上の第２のイオン到達強度と前記１つ以上の第３及びさらなるイオン到達強度とを組み合わせて、複合イオン到達時間−強度スペクトルを生成する、ように配置及び構成される制御システムと、を備え、
前記制御システムは、前記第１の信号と前記第２の信号と前記第３及びさらなる信号とをデジタル化するアナログ−デジタル変換器を用いて、前記イオン検出器から出力される前記第１の信号をデジタル化し、前記イオン検出器から出力される前記第２の信号をデジタル化し、前記イオン検出器から出力される前記第３及びさらなる信号をデジタル化する、ように配置及び構成され、
前記第１のデジタル化信号のデコンボリューションを行なうことと、前記第２のデジタル化信号のデコンボリューションを行なうことと、前記第３及びさらなるデジタル化信号のデコンボリューションを行なうこととが、（ｉ）前記イオン検出器に到達して前記イオン検出器により検出される単一のイオンの特徴を示す点広がり関数を求めること、又は、（ｉｉ）前記イオン検出器に到達して前記イオン検出器により検出される単一のイオンの特徴を示す所定の点広がり関数を用いること、のいずれかを備える、質量分析計。
【請求項１１】
請求項１０に記載の質量分析計であって、
前記制御システムが、
（ｉ）前記第１の信号をデジタル化する前及び／又は前記第１のデジタル化信号のデコンボリューションを行なう前に、前記飛行時間領域内に入るように第１のイオン群を加速する、及び／又は、
（ｉｉ）前記第２の信号をデジタル化する前及び／又は前記第２のデジタル化信号のデコンボリューションを行なう前に、前記飛行時間領域内に入るように第２のイオン群を加速する、及び／又は、
（ｉｉｉ）前記第３の信号をデジタル化する前及び／又は前記第３のデジタル化信号のデコンボリューションを行なう前に、前記飛行時間領域内に入るように第３のイオン群を加速する、ように配置及び構成される、質量分析計。
【請求項１２】
質量分析の方法であって、
飛行時間領域内に入るようにイオンを加速する電極と、前記飛行時間領域を前記イオンが通過した後にイオンを検出するように構成されるイオン検出器と、を備える飛行時間型質量分析器と準備する工程と、
（ｉ）前記飛行時間領域内に入るようにイオン群を加速する工程と、（ｉｉ）前記イオン検出器から出力される信号をアナログ−デジタル変換器を用いてデジタル化して、デジタル化信号を生成する工程と、を１回以上繰り返す工程と、
前記デジタル化信号を組み合わせて、第１の複合デジタル化信号を形成する工程と、
前記第１の複合デジタル化信号のデコンボリューションを行なって、前記第１の複合デジタル化信号に関して１つ以上の第１のイオン到達時間と１つ以上の第１のイオン到達強度とを求める工程と、
（ｉｉｉ）前記飛行時間領域内に入るようにイオン群を加速する工程と、（ｉｖ）前記イオン検出器から出力される信号をアナログ−デジタル変換器を用いてデジタル化して、デジタル化信号を生成する工程と、を１回以上繰り返す工程と、
前記デジタル化信号を組み合わせて、第２の複合デジタル化信号を形成する工程と、
前記第２の複合デジタル化信号のデコンボリューションを行なって、前記第２の複合デジタル化信号に関して１つ以上の第２のイオン到達時間と１つ以上の第２のイオン到達強度とを求める工程と、
前記１つ以上の第１のイオン到達時間と前記１つ以上の第２のイオン到達時間とを組み合わせると共に、前記１つ以上の第１のイオン到達強度と前記１つ以上の第２のイオン到達強度とを組み合わせて、複合イオン到達時間−強度スペクトルを生成する工程と、を備え、
前記第１のデジタル化信号のデコンボリューションを行なう工程と、前記第２のデジタル化信号のデコンボリューションを行なう工程とが、（ｉ）前記イオン検出器に到達して前記イオン検出器により検出される単一のイオンの特徴を示す点広がり関数を求める工程、又は、（ｉｉ）前記イオン検出器に到達して前記イオン検出器により検出される単一のイオンの特徴を示す所定の点広がり関数を用いる工程、のいずれかの工程を備える、質量分析の方法。
【請求項１３】
質量分析計であって、
飛行時間領域内に入るようにイオンを加速する電極と、前記飛行時間領域を前記イオンが通過した後にイオンを検出するように構成されるイオン検出器と、を備える飛行時間型質量分析器と、
制御システムであって、
（ｉ）前記飛行時間領域内に入るようにイオン群を加速する工程と、（ｉｉ）前記イオン検出器から出力される信号をアナログ−デジタル変換器を用いてデジタル化して、デジタル化信号を生成する工程と、を１回以上繰り返し、
前記デジタル化信号を組み合わせて、第１の複合デジタル化信号を形成し、
前記第１の複合デジタル化信号のデコンボリューションを行なって、前記第１の複合デジタル化信号に関して１つ以上の第１のイオン到達時間と１つ以上の第１のイオン到達強度とを求め、
（ｉｉｉ）前記飛行時間領域内に入るようにイオン群を加速する工程と、（ｉｖ）前記イオン検出器から出力される信号をアナログ−デジタル変換器を用いてデジタル化して、デジタル化信号を生成する工程と、を１回以上繰り返し、
前記デジタル化信号を組み合わせて、第２の複合デジタル化信号を形成し、
前記第２の複合デジタル化信号のデコンボリューションを行なって、前記第２の複合デジタル化信号に関して１つ以上の第２のイオン到達時間と１つ以上の第２のイオン到達強度とを求め、
前記１つ以上の第１のイオン到達時間と前記１つ以上の第２のイオン到達時間とを組み合わせると共に、前記１つ以上の第１のイオン到達強度と前記１つ以上の第２のイオン到達強度とを組み合わせて、複合イオン到達時間−強度スペクトルを生成する、ように構成及び配置される制御システムと、を備え、
前記第１のデジタル化信号のデコンボリューションを行なうことと、前記第２のデジタル化信号のデコンボリューションを行なうこととが、（ｉ）前記イオン検出器に到達して前記イオン検出器により検出される単一のイオンの特徴を示す点広がり関数を求めること、又は、（ｉｉ）前記イオン検出器に到達して前記イオン検出器により検出される単一のイオンの特徴を示す所定の点広がり関数を用いること、のいずれかを備える、質量分析計。
【国際調査報告】
2013519873.tif 000037
2013519873.tif 000038
2013519873.tif 000039